(57)【要約】      （修正有）【課題】一種の伝送用ケーブルを固定できる耳掛けを提供する。【解決手段】本耳掛けは、フレーム４１、第１収容部分４２、第２収容部分４３及び第３収容部分４４を含む。該フレームは、ハンガー部４１１及び付勢部４１２を含む。該ハンガー部は該フレームの上端部に形成され、該付勢部は該フレームの下端部に成形される。該第１収容部分は、該ハンガー部に沿って成形され、第１開口４２１を有する。該第２収容部分は、該付勢部に沿って成形され、第２開口４３１を有する。該第３収容部分は、該付勢部に沿って成形され、該第１収容部分と該第２収容部分との間に位置し、第３開口４４１を有する。該第３開口の開設位置は、該第１開口と第２開口との開設位置の向かい側に位置する。これによって、伝送用ケーブル５を安定に設置できるので、脱落し難くなる効果が得られる。【選択図】図３
0003157884.tif 000002
【実用新案登録請求の範囲】
【請求項１】
上端部にハンガー部が形成され、下端部に付勢部が形成され、湾曲した形状に成形されるフレームと、
前記ハンガー部に沿って成形され、第１開口を有する第１収容部分と、
前記付勢部に沿って成形され、第２開口を有する第２収容部分と、
前記付勢部に沿って成形され、前記第１収容部分と前記第２収容部分との間に位置し、第３開口を有する第３収容部分と、
を含む伝送用ケーブルを固定する耳掛けであって、
前記第３開口の開設位置は、前記第１開口と前記第２開口との開設位置の向かい側に位置する、耳掛け。
【請求項２】
前記第１収容部分と前記第３収容部分との間に形成され、前記伝送用ケーブルを前記第１収容部分から前記第３収容部分に穿通させるように第１切り口と、
前記第２収容部分と前記第３収容部分との間に形成され、前記伝送用ケーブルを前記第２収容部分から前記第３収容部分に穿通させるように第２切り口と、
をさらに含むことを特徴とする請求項１に記載の耳掛け。
【請求項３】
前記付勢部は、リッププレートを有することを特徴とする請求項１に記載の耳掛け。
【請求項４】
前記第１収容部分、前記第２収容部分、前記第３収容部分、前記第１切り口及び前記第２切り口は、前記伝送用ケーブルを位置制限し固定させることを特徴とする請求項２に記載の耳掛け。
【請求項５】
前記耳掛けは、プラスチック材質で作製されていることを特徴とする請求項１に記載の耳掛け。
【考案の詳細な説明】
【技術分野】
【０００１】
一種の耳掛けに関し、特に一種の伝送用ケーブルを安定に固定できる耳掛けに関するものである。
【背景技術】
【０００２】
人々の活動力が向上するにつれ、イヤホンの使用量も絶え間がなく増加する。特に小型イヤホンは携帯に便利であるため、使用者に広く愛用されている。その応用範囲については、昔からの小型ラジオやウォークマン（登録商標）のみならず、携帯電話や携帯型ウォークマン(例えば、ＣＤプレーヤー)など、各種類の斬新な電子設備の広汎な分野までに応用できる。
【考案の概要】
【考案が解決しようとする課題】
【０００３】
使用者にイヤホンを便利に装着できるようにするために、製造業者がヘッドバンド付きヘッドフォンを開発し、使用者が使用に際して、ヘッドバンドを頭部の上に取り付けることによって、適切な懸架と支持効果を提供する。このようなヘッドフォンを使用する際に、必ず使用者の髪に圧迫力を与えることで、使用者のスタイルした髪型を乱してしまう。そのため、実用性については、いまだに疑問を有するものである。よって、この種類のヘッドフォンの売り上げ量に相当程度の制限をかかっている。
【０００４】
また、他の製造業者が、耳掛け架付きイヤホンを開発し、そのようなイヤホンは、イヤホンの頂部に１つの弧型掛けロードを増設して、使用者がイヤホンのスピーカーを外耳道の外端に当接すると同時に、眼鏡のテンプルのようにその掛けロードを耳介の上部に引掛かることによって、イヤホンの装着に適切な懸架と支持効果を提供する。
【０００５】
しかし、市場で一般的に販売されている耳掛けは、１つのイヤホン体と互いに結合している一体成形の構造であり、使用者が耳に装着した後に、この耳掛けの片端に１つのスピーカーを設け、１つの再生機器の連結に供するために、別端に１つの伝送用ケーブルを延伸して設ける。図１を参照すると、この図において、従来技術の耳掛けの斜視図が示されている。図１に示すように、耳掛け１０は、本体１０１、伝送用ケーブル１０２及びスピーカー１０３から成る。そのうち、該本体１０１は、使用者の耳の裏側に引掛かって装着され、耳腔に挿入できるように該本体１０１の片端には、スピーカー１０３を設けられ、外付け再生機器と連結するように伝送用ケーブル１０２が該本体１０１の別端に延伸して設けられているようにしている。このような耳掛け１０は、１つのバンド体で使用者の頭部を通過して装着する本来の構造に代わることが可能である。しかしながら、従来の該耳掛け１０においては、該スピーカー１０３と該伝送用ケーブル１０２とは一体成形する構造である。不使用時に、収納している過程において、該耳掛け１０の保管空間を減少するために該伝送用ケーブル１０２を折り畳むのを避けることが難しい。このような場合には、該伝送用ケーブル１０２を折り畳みすぎて、その内部にある伝送用コードを断線して破損にする虞がある。
【０００６】
図２は、従来技術の別の種類の耳掛けを示す図であり、この図を参照すると、該耳掛け２０は、人の耳形状に合せて湾曲したフレーム２０１から成り、該フレーム２０１の上部にハンガー部２０１１が形成されると共に、該ハンガー部２０１１の下部に沿う付勢部２０１２が形成され、該フレーム２０１の表面に沿って、凹溝２０２が形成される。該凹溝２０２は、該フレーム２０１全体を貫通すると共に、該フレーム２０１の両端面にそれぞれ開口部２０１３と開口部２０１４が形成される。使用者が１つのイヤホン体３０とその考案に係る耳掛け２０と互いに組合せる時に、該イヤホン体３０の伝送用ケーブル３０２のうちの一部分は耳掛けの該凹溝２０２の内部に穿置されている。該凹溝２０２の開口幅を該伝送用ケーブル３０２の半径より狭く設定していることを利用して、該伝送用ケーブル３０２を該凹溝２０２の内部に固定する。該凹溝２０２から該開口部２０１３までに沿って、１つのスピーカー３０１が設けられる。しかしながら、この種類の耳掛けは、伝送用ケーブルと耳掛け２０と互いに分離させるに供することで取替えに便利であるが、該凹溝２０２は、該フレーム２０１全体を貫通する方式で開設されているので、使用者が容易に不注意のせいで引張って、該伝送用ケーブル３０２が該耳掛け２０と分離し、脱落する問題が残されているため、使用上に不便を引き起す虞がある。
【０００７】
以上のような耳掛けは、改善すべきところがある。また、別の種類のイヤホンは、ケーブルとスピーカーしか有しないので、使用者が使用時に不注意でケーブルが垂れ下がって物品に引っ掛かる虞がある。
【課題を解決するための手段】
【０００８】
本考案の主要な目的は、イヤホンの伝送用ケーブルを安定に固定できる一種の耳掛けを提供することである。
【０００９】
上記の目的を達成するために、本考案に係る耳掛けは、フレーム、第１収容部分、第２収容部分及び第３収容部分を含む。該フレームは、湾曲した形状に成形され、ハンガー部及び付勢部を含む。該ハンガー部は該フレームの上端部に成形され、該付勢部は該フレームの下端部に成形される。該第１収容部分は、該ハンガー部に沿って成形され、第１開口を有する。該第２収容部分は、該付勢部に沿って成形され、第２開口を有する。該第３収容部分は、該付勢部に沿って成形され、該第１収容部分と該第２収容部分との間に位置し、第３開口を有する。該第３開口の開設位置は、該第１開口と第２開口との開設位置の向かい側に位置する。
【００１０】
また、該耳掛けは、第１切り口及び第２切り口をさらに含む。該第１切り口は、該第１収容部分と該第３収容部分との間に形成されて、該伝送用ケーブルは、該第１切り口を通じて該第１収容部分から該第３収容部分に穿通する。該第２切り口は、該第２収容部分と該第３収容部分との間に形成されて、該伝送用ケーブルは、該第１切り口を通じて該第２収容部分から該第３収容部分に穿通する。
【００１１】
また、該付勢部はリッププレートを有する。
【００１２】
また、該第１収容部分、該第２収容部分、該第３収容部分、該第１切り口及び該第２切り口は、該伝送用ケーブルを位置制限し固定させる。
【００１３】
また、該耳掛けは、プラスチック材質で作製されている。
【考案の効果】
【００１４】
以上のように本考案に係る耳掛けによれば、第１収容部分、第２収容部分及び第３収容部分を設置して、伝送用ケーブルを挟持できる。また、第３開口の開設位置を該第１開口と第２開口との開設位置の向かい側に位置するように、耳掛けが伝送用ケーブルを緊密に挟持でき、固定しているので、使用者が引張っても、脱落し難くなる効果が得られる。
【図面の簡単な説明】
【００１５】
【図１】従来技術の耳掛けの第１実施形態を示す図である。
【図２】従来技術の耳掛けの第２実施形態を示す図である。
【図３】本考案に係る耳掛けの第１実施形態を示す図である。
【図４】本考案に係る耳掛けの第２実施形態を示す図である。
【図５】本考案に係る耳掛けの第３実施形態を示す図である。
【考案を実施するための形態】
【００１６】
本考案のさらに別の態様、目的、望ましい特徴、及び利点は、添付の図面を参照して行う以下の説明から、より明確に理解できるであろう。
【００１７】
図３は、本考案に係る耳掛けの第１実施形態を示す図であり、図４は、本考案に係る耳掛けの第２実施形態を示す図であり、図５は、本考案に係る耳掛けの第３実施形態を示す図である。図３ないし図５を参照し、これらの図において、該耳掛け４は、伝送用ケーブル５を固定するに用いる。また、該伝送用ケーブル５の方端にスピーカー５１が設けられている。そのうち、該耳掛け４は、プラスチック材質で作製されても良い。該耳掛け４は、フレーム４１、第１収容部分４２、第２収容部分４３、第３収容部分４４、第１切り口４５及び第２切り口４６を含む。
【００１８】
該フレーム４１は、湾曲した形状に成形され、ハンガー部４１１及び付勢部４１２を含む。該ハンガー部４１１は、逆ホック形状を呈し、該フレームの上端部に形成される。該付勢部４１２は、該フレーム４１の下端部に形成される。
【００１９】
該第１収容部分４２は、該ハンガー部４１１に沿って成形され、第１開口４２１を有する。該第２収容部分４３は、該付勢部４１２に沿って成形され、第２開口４３１を有する。該第３収容部分４４は、該付勢部４１２に沿って成形され、該第１収容部分４２と該第２収容部分４３との間に位置し、第３開口４１１を有する。そのうち、該第３開口４４１の開設位置は、該第１開口４２１と第２開口４３１との開設位置の向かい側に位置する。
【００２０】
また、該第１切り口４５は、該第１収容部分４２と該第３収容部分４４との間に形成され、該第２切り口４６は、該第２収容部分４３と該第３収容部分４４との間に形成される。
【００２１】
該耳掛け４を使用して、該伝送用ケーブル５を固定する場合においては、該第１開口４２１、該第２開口４３１及び該第３開口４４１によって、該伝送用ケーブル５をそれぞれ該第１収容部分４２、該第２収容部分４３及び該第３収容部分４４の内部に収容されている。また、該伝送用ケーブル５は、該第１切り口４５を通じて該第３収容部分４４の内部に穿入すると共に、該第２切り口４６を通じて該第２収容部分４３から穿入該第３収容部分４４の内部に穿入する。
【００２２】
使用者が該耳掛け４を装着する場合において、該第３開口４４１の開設位置は、該第１開口４２１と第２開口４３１との開設位置の向かい側に位置している。そのため、該伝送用ケーブル５が引張られている時には、該耳掛け４が伝送用ケーブル５を緊密に挟持しているので、使用者が不注意のせいで伝送用ケーブル５を引張っても、伝送用ケーブル５が該耳掛け４から脱落し、分離するような状況が発生するのを避けることができる。
【００２３】
上記の通り、本考案に係る耳掛けによれば、第１収容部分、第２収容部分及び第３収容部分を設置することによって、伝送用ケーブルを挟持するに用いる。また、第３開口の開設位置を該第１開口と第２開口との開設位置の向かい側に位置するように、耳掛けが伝送用ケーブルを緊密に挟持でき、固定しているので、使用者が引張っても、脱落し難くなる効果が得られる。
【００２４】
唯、上記で説明したものは、あくまでも本考案による好ましい実施形態を参考しながらこの考案を説明したものであり、実用新案登録請求の範囲を制限するものではない。よって、本考案の権利範囲及び明細書の内容による効果等の変化や変更はなお本発明の範囲に含まれるものとする。
【００２５】
上記の通り、本考案に係る耳掛けは、特許に基づいての創作性及び産業上の利用可能性を具備することから、出願人より、特許法の規定に従って、実用新案の登録請求を提出する。
【符号の説明】
【００２６】
１０        耳掛け
１０１      本体
１０２      伝送用ケーブル
１０３      スピーカー
２０        耳掛け
２０１      フレーム
２０１１    ハンガー部
２０１２    付勢部
２０１３    開口部
２０１４    開口部
２０２      凹溝
３０        イヤホン体
３０１      スピーカー
３０２      伝送用ケーブル
４          耳掛け
４１        フレーム
４１１      ハンガー部
４１２      付勢部
４２        第１収容部分
４２１      第１開口
４３        第２収容部分
４３１      第２開口
４４        第３収容部分
４４１      第３開口
４５        第１切り口
４６        第２切り口
５          伝送用ケーブル
５１        スピーカー
【図１】
0003157884.tif 000003
【図２】
0003157884.tif 000004
【図３】
0003157884.tif 000005
【図４】
0003157884.tif 000006
【図５】
0003157884.tif 000007